(57)【特許請求の範囲】
【請求項１】
平坦な材料から生成される棚支持ブラケットであって、垂直棚要素に取り付けるための取付部を有する第１の部分（１）と、第１の部分（１）から片持梁状に張り出す第２の部分（４）とを備え、該第２の部分は、棚を支持する上縁（６）を画定し、かつ前記第１の部分（１）から遠い自由端に上向きに突出する棚保持フック部（５）を有した棚支持ブラケットにおいて、前記上縁（６）には、前記棚保持フック部（５）から遠い端部であって、前記第１の部分（１）に隣接する端部に、前記棚保持フック部（５）と相補的な部分となる形状を有する切欠（７）が設けられていることを特徴とする棚支持ブラケット。
【請求項２】
前記取付部が、前記第２の部分（４）と反対方向に延在し、かつ垂直棚要素の開口内に掛止するようにされたフック部（２）を有し、前記切欠（７）が、開口に係合する前記フック部（２）の部分内に完全に位置することを特徴とする請求項１に記載のブラケット。
【請求項３】
平坦な材料を切断することにより請求項１または請求項２に記載の棚支持ブラケットを製造する方法において、隣り合うブラケットが相互に１８０度回転しかつ相互に上縁（６）で当接し、隣り合うブラケットの一方のフック部（５）が他方のブラケットの切欠（７）内に延びるように切断ラインが配置されていることを特徴とする方法。
【請求項４】
ブラケットが帯材（１３）から生成され、ブラケットの上縁（６）が帯材（１３）の長手方向に対してある角度で延びるように切断ラインが配置されていることを特徴とする請求項４に記載の方法。
【発明の詳細な説明】
【０００１】
（説明）
棚支持ブラケット、特に軽量の金属棚システム用とし、溝付き直立壁に取付けるように設計された棚支持ブラケットは、通常、帯鋼材から型打ちされる。型打ち廃材を極力抑えるために、ブラケットが交互に１８０度回転した状態で生産されるように切断ラインは構成されている。この構成により、１つの切断で２つの隣り合うブラケットの片持ち梁部の上縁が画定され、次の帯材材料の長手方向の切断で２つの隣り合うブラケットの下縁が画定される。廃材を極力少なくするために、帯材材料の縁でも、切断ラインが帯鋼材の長手方向にある角度で延びるように配置されている。
【０００２】
この配置により、やや三角形の切捨て部が一方のブラケットの支持部分、即ち直立壁内に掛止するように設計される縦方向部分と次の一つのブラケットの縦方向部分との間にのみ生成される。
【０００３】
ＦＲ２５０１９８４Ａは、平坦な材料から製作される棚支持ブラケットを開示しており、その上縁の一端にはフック部が、他端には面取りした面が設けられている。面取りした面は、ブラケットが対応する直立部に取付られる時に、ブラケットが回転することを許すことを要求される。
【０００４】
ＧＢ２０４２８７６Ａは、切欠がブラケットの上縁後端に付いている別の棚支持ブラケットを示している。その切欠は、直立壁に係合するブラケットの後部を除き、補強のためにブラケットの上縁部分が曲げられる事を許す。
【０００５】
本発明の目的は、棚支持ブラケットを平坦な材料から生産する際の材料の無駄を減少することにある。
【０００６】
この目的を満たすため、本発明の棚支持ブラケットは、垂直棚要素に取り付けるための取付部を有する第１の部分と、第１の部分から片持梁状に張り出す第２の部分とを備え、第２の部分は棚を支持する上縁および第１の部分から遠い自由端に上向きに突出する棚保持フック部を有し、上縁には第１の部分に隣接する端部にフック部に対応する切欠が設けられる。
【０００７】
隣り合う棚支持ブラケット同士は、上向きに突出するフック部が隣り合うブラケットの切欠内に延びるように打抜き板に相互に位置決めされる。このことは、型打ちされるブラケットが一層密接に交互に組み合わされることを許し、それによって上述の三角形の切捨て部の大きさが減少する。所与のブラケット・サイズで、約２０％の材料節減が達成される。
【０００８】
上記のようにフック部に対応する切欠を設け、対のブラケットを打抜き材料から型打ちし、それによって材料を節減する考えは、当技術分野で示唆されていない。
【０００９】
好ましい実施形態においては、取付部が、第２の部分と反対方向に延在し、かつ垂直棚要素の開口内に掛止するようにされたフック部を有し、切欠が開口に係合するフック部の部分内に完全に位置する。この切欠は、製造工程において材料節減を達成し、棚支持ブラケットが完成された棚に取付けられたときの外観を損なうことがない。
【００１０】
本発明による平坦な材料を切断することにより棚支持ブラケットを製造する方法においては、隣り合うブラケットが相互に１８０度回転し、相互に上縁で当接し、一方のブラケットのフック部が他方のブラケットの切欠内に延びるように切断ラインが配置される。
【００１１】
ブラケットは帯材料から生成され、ブラケットの上縁が帯材の長手方向に対してある角度で延びるように切断ラインが配置されることが好ましく、それによって所与の幅の帯材を最もうまく使用する。
【００１２】
以下に、本発明の好ましい実施形態について、複数の棚支持ブラケットが、帯鋼材から型打ちされる相互配置で示された図面を参照しながらさらに詳細に説明する。
【００１３】
図面では、棚支持ブラケットの１つに斜めハッチングを入れ、図示した総計８個のブラケットのそれぞれの形状をより明らかに示してある。以下に、このクロス・ハッチングを入れたブラケットについて具体的に説明する。
【００１４】
この全体的にほぼＬ字形状の棚支持ブラケットは、ブラケットを直立壁（図示せず）の開口部に掛止するための後方（図中左側）に延びる２つのタブ状フック２、３を備えた取付部を有する支持部分１を含む。
【００１５】
第２の、カンチレバー部４が反対方向（図中右側）に支持部分１から延び、カンチレバー部４の自由端が上向きに延びるフック部５を有する。カンチレバー部４の上縁６が棚（図示せず）のための支持面を画定する。フック部５は、棚の前方縁もしくは棚の下面に設けた凹部に係合することによりこのような棚を保持するのに使用される。
【００１６】
カンチレバー部４の上縁６にはフック部５から遠い後端（図中左側）に切欠７があり、切欠７は上縁６の上部に突出するフック部５と相補的な部分となる形状を有する。
【００１７】
直立壁に掛止したとき、取付部に設けられた垂直の当接縁８が直立壁の前面に静止するように働く。支持部分１の当接縁８を形成する部分９にはブラケットをその位置で安定化するためのうねりが設けられている。
【００１８】
掛止状態においては、当接縁８より後のブラケット部分（図中左側）は直立壁の開口内もしくはその後に位置し、したがって見えなくなる。図示のように、切欠７は完全にこの見えない区域内に入る。
【００１９】
ブラケットの支持部分１内には、ブラケットを陳列ホルダのバーに懸吊するための孔１０がほぼ上側のフック２の高さに設けられている。孔１０は、懸吊状態において、カンチレバー部４が実質的に垂直下方に延びるように配置される。
【００２０】
ブラケットを塗装工程中に懸吊するためにもう１つの孔１１が下部のフック３の区域内に設けられる。この孔１１は一部が当接縁８の後（図中縁の左側）に位置し、したがって孔１０の内側縁部分は、全部は塗装で被覆されないが、ブラケットを所定位置に掛止したときには見えない領域内に位置する。
【００２１】
実質的にＬ字形の補強用型押部１２がブラケットの縦方向の支持部分１と水平方向のカンチレバー部４の間の推移区域に設けられる。
【００２２】
図示の通り、棚支持ブラケットを包括的に符号１３を付した帯鋼材から型打ちするため、相互に１８０度回転した隣接ブラケットが上縁６で相互に当接し、一方のブラケットのフック部５が他方のブラケットの切欠７内に延びるように切断ラインが配置される。次の切断により、相互に当接するブラケットの下方縁が生成される。切断ラインは、縁６および１４が帯鋼材１３の長手方向に対して対角線状に延びるように配置される。
【００２３】
図示のように、ほぼ三角形の切捨て部１５が、一方のブラケットの支持部分１と他方の次のブラケットの支持部分の間で、帯鋼材１３の両側に生成される。この切捨て部１５の大きさは、一方のブラケットのフック部５が隣接ブラケットの切欠７内に延びる事実によって最小限に減少される。
【図面の簡単な説明】
【図１】  複数の棚支持ブラケットが帯鋼材から型打ちされる相互配置を示す図である。
【図１】
0004456810.tif 000002